(57)【要約】【課題】  景観を損なわずに根付き植物に光照射等を行うことができ、また、擬似的な日照環境・夜間環境等を作ることで離隔地での養生が不要となる植物育生システムを提供する。【解決手段】  根付き植物２がセットされる植物セット装置１１と、前記植物セット装置１１にセットされた前記根付き植物の少なくとも葉に光を照射する光照射装置１２と、前記根付き植物の根に水分を含む養分を供給する養分供給装置１４と、を備えた植物育生システムであって、前記光照射装置１２が発光部を有し前記養分供給装置１４が養分供給口を有することを特徴とする。【選択図】    図１
2008092821.tif 000002
【特許請求の範囲】
【請求項１】
根付き植物がセットされる植物セット装置と、
前記植物セット装置にセットされた前記根付き植物の少なくとも葉に光を照射する光照射装置と、
前記根付き植物の根に水分を含む養分を供給する養分供給装置と、
を備えた植物育生システムであって、
前記光照射装置が発光部を有し前記養分供給装置が養分供給口を有する、
ことを特徴とする植物育生システム。
【請求項２】
さらに、前記根付き植物の少なくとも葉に水分を散布する水分散布装置を備え、前記水分散布装置が水分散布ノズルを有することを特徴とする請求項１に記載の植物育生システム。
【請求項３】
さらに、前記根付き植物の少なくとも葉に風を当てるファン装置を備えたことを特徴とする請求項１または２に記載の植物育成装置。
【請求項４】
前記植物セット装置が、鉢、仕切りボード、壁掛けボードまたは天枠であることを特徴とする請求項１から３の何れかに記載の植物育生システム。
【請求項５】
前記植物セット装置に模造植物が前記根付き植物に混在してセットされ、
前記模造植物に、前記発光部、前記水分散布ノズル、前記エアー送出部の少なくとも１つが設けられ、模造植物茎部が被覆電線として機能し、または、水またはエアー供給管として機能することを特徴とする請求項１から４の何れかに記載の植物育生システム。
【請求項６】
前記模造植物が葉部を含み、葉部の裏面に、
発光ダイオードと導光面とを備えた面状発光体、または、
有機ＥＬからなる面状発光体
が形成されていることを特徴とする請求項５に記載の植物育生システム。
【請求項７】
前記発光部、前記水分散布ノズルまたは前記エアー送出部が、模造葉の裏面側、模造花の裏側に設けられていることを特徴とする請求項６に記載の植物育生システム。
【請求項８】
前記根付き植物を被覆する内側に反射膜が形成された袋または箱からなる養生用カバー体を備え、前記発光部、またはさらに前記水分散布ノズルおよび／または前記エアー送出部が前記養生用カバー体に設けられていることを特徴とする請求項１から４の何れかに記載の植物育生システム。
【請求項９】
制御装置を備え、前記制御装置は、
前記養生用カバー体により前記根付き植物を被覆している全期間中または一部期間中に、前記発光部、前記水分散布ノズル、前記エアー送出部を動作させることを特徴とする請求項８に記載の植物育生システム。
【請求項１０】
前記制御装置は、
前記カバー体の内側を、
前記発光部を動作させない擬似夜間環境に置いた後、前記擬似日照環境に置き、または、前記擬似日照環境に置いた後、前記擬似夜間環境に置く、
ことを特徴とする請求項９に記載の植物育生システム。
【発明の詳細な説明】
【技術分野】
【０００１】
本発明は、植物セット装置にセットされた根付き植物を擬似的な自然環境に置くことができるインドア緑化に好適な植物育生システムに関し、具体的には、景観を損なわずに根付き植物に光照射等を行うことができ、また、擬似的に日照環境・夜間環境等を作ることで離隔地での養生が不要となる、インドア緑化に好適な植物育生システムに関する。
【背景技術】
【０００２】
近年、都心のビジネスビルディング・高層マンション等においてはインドア緑化が行われることがある。インドア緑化は根付き植物（特に観葉植物）により行われるが、室内に置かれる根付き植物には、室内光で育生できるものもあるが、多くは室内に長時間置かれると育生に支障が生じ、生気がなくなる。
【０００３】
鉢植え等の観葉植物の中には、レンタル（リース）されるものも多く、この場合には観葉植物はレンタル業者により、所定期間ごとに回収され、太陽光が照射される場所（通常遠隔地）において養生が行われる。また、鉢植えの観葉植物のうち、レンタルでない（個人等所有の）ものは、所有者により管理される。
【発明の開示】
【発明が解決しようとする課題】
【０００４】
しかし、レンタルされた根付きの観葉植物は、回収・養生等に費用がかかる。また、個人等所有の根付きの観葉植物では、太陽光が照射される置き場所を確保できないために健全に育生ができない場合が多い。
このような理由から、インドアの緑化が実際にはほとんど行われず、イミテーションの植物により視覚的に緑化を装っているに過ぎないことが多い。
本発明の目的は、根付き植物を擬似的な自然環境に置くことができる植物育生システム、具体的には、景観を損なわずに根付き植物に光照射等を行うことができ、また、擬似的な日照環境・夜間環境等を作ることで離隔地での養生が不要となる植物育生システムを提供することにある。
【課題を解決するための手段】
【０００５】
本発明者等は、（１）根付き植物への光の照射、さらには水分の散布等を効率よく行うこと、（２）光を適切な方向から植物に照射し、かつ当該光が人の目に直接入らないようにする（景観上の違和感を生じさせないようにする）、（３）根付き植物を移動することなく自然に近い環境をでき得る限り根付き植物に提供することで、上記課題を解決できるとの知見を得て本発明をなすに至った。
【０００６】
本発明の植物育生システムは、（１）〜（１０）を要旨とする。
（１）  根付き植物がセットされる植物セット装置（基本的には１人により移動可能な規模であるが、それよりも大きくてもよい）と、前記植物セット装置にセットされた前記根付き植物の少なくとも葉に光を照射する光照射装置と、前記根付き植物の根に水分を含む養分を供給する養分供給装置と、を備えた植物育生システムであって、
前記光照射装置が発光部を有し前記養分供給装置が養分供給口を有する、
ことを特徴とする植物育生システム。
光照射装置は直流により点灯するランプと制御装置と電源（直流電源または商用電源を直流に変換するＡＣ／ＤＣ変換器）を備えている。また、養分供給装置（灌水装置）は、点滴によりタンク内の養分液を植物の根に供給する装置とすることができるし、タンクと直流ポンプと制御装置と電源（直流電源または商用電源を直流に変換するＡＣ／ＤＣ変換器）とを備え、タンク内の養分液を植物の根に供給する装置とすることができる。
（２）  さらに、前記根付き植物の少なくとも葉に水分を散布する水分散布装置を備え、前記水分散布装置が水分散布ノズルを有することを特徴とする（１）に記載の植物育生システム。
ここで、水分散布装置は、タンクと直流ポンプと制御装置と電源（直流電源または商用電源を直流に変換するＡＣ／ＤＣ変換器）とを備え、タンク内の水を植物に散布する装置とすることができる。
（３）  さらに、前記根付き植物の少なくとも葉に風を当てるファン装置を備えたことを特徴とする（１）または（２）に記載の植物育成装置。
ここで、ファン装置は、ファンと制御装置と電源（直流電源または商用電源を直流に変換するＡＣ／ＤＣ変換器）とを備え、風を植物に当てる装置とすることができる。
（４）  前記植物セット装置が、鉢、仕切りボードまたは壁掛けボードであることを特徴とする（１）から（３）の何れかに記載の植物育生システム。
（５）  前記模造植物に、前記発光部、前記水分散布ノズル、前記エアー送出部の少なくとも１つが設けられ、模造植物茎部が被覆電線として機能し、または、水またはエアー供給管として機能することを特徴とする（１）から（４）の何れかに記載の植物育生システム。
（６）  前記模造植物が葉部を含み、葉部の裏面に、発光ダイオードと導光面とを備えた面状発光体、または、有機ＥＬからなる面状発光体が形成されていることを特徴とする（５）に記載の植物育生システム。
（７）  前記発光部、前記水分散布ノズルまたは前記エアー送出部が、模造葉の裏面側、模造花の裏側に設けられていることを特徴とする（６）に記載の植物育生システム。
（８）  前記根付き植物を被覆する内側に反射膜が形成された袋または箱からなる養生用カバー体を備え、前記発光部、またはさらに前記水分散布ノズルおよび／または前記エアー送出部が前記養生用カバー体に設けられていることを特徴とする（１）から（４）の何れかに記載の植物育生システム。
（９）  制御装置を備え、前記制御装置は、
前記養生用カバー体により前記根付き植物を被覆している全期間中または一部期間中に、前記発光部、前記水分散布ノズル、前記エアー送出部を動作させることを特徴とする（８）に記載の植物育生システム。
（１０）  前記制御装置は、
前記カバー体の内側を、
前記発光部を動作させない擬似夜間環境に置いた後、前記擬似日照環境に置き、または、前記擬似日照環境に置いた後、前記擬似夜間環境に置く、
ことを特徴とする（９）に記載の植物育生システム。
【発明の効果】
【０００７】
本発明によれば、根付き植物を擬似的な自然環境に置くことで、根付き植物を育成するとともに、成長度合いをコントロールすることができる。
具体的には、景観を損なわずに根付き植物に光照射等を行うことができ、また、擬似的な日照環境・夜間環境等を作ることで離隔地での養生が不要となる植物育生システムを提供することにある。
【発明を実施するための最良の形態】
【０００８】
図１（Ａ），（Ｂ）により本発明の第１実施形態を説明する。第１実施形態の植物育生システム１は、図１（Ａ），（Ｂ）に示すように、根付き植物２がセットされる移動可能な植物セット装置１１（パーティション等に使用するボード、または壁掛け）と、植物セット装置１１にセットされた根付き植物に光を照射する光照射装置１２（発光部１２１）と、根付き植物２に水分を散布する水分散布装置１３（ノズル１３１）と、水分を含む養分を供給する養分供給装置１４（（Ａ）のみに示す）とを備えている。第１実施形態では植物セット装置１１は庇を有しており、この庇Ｈ部分に発光部１２が備えられている。
【０００９】
第１実施形態では、根付き植物２は、花と葉を供えた植物で示してあるが本発明はこれに限定されず、葉のみの植物（観葉植物）に対しても適用される。第１実施形態では、根付き植物２に擬似的な自然環境を与えること、すなわち光と水分と養分を供給することができる。なお、図示はしないが第１実施形態では、ファン装置を植物セット装置１１に設けることができる。
【００１０】
図２（Ａ），（Ｂ）、図３（Ａ），（Ｂ）、図４（Ａ）〜（Ｄ）、図５（Ａ），（Ｂ）により本発明の第２実施形態を説明する。
第２実施形態の植物育生システム１も、図２（Ａ），（Ｂ）の正面図に示すように根付き植物２がセットされる移動可能な植物セット装置１１と、植物セット装置１１にセットされた根付き植物２に光を照射する光照射装置（発光部１２１）と、根付き植物２に水分を散布する水分散布装置（ノズル１３１）とを備えている。
【００１１】
第２実施形態では、図２（Ａ），（Ｂ）に示すように植物セット装置１１に模造植物３が根付き植物２に混在してセットされている。なお、図２（Ａ）と図２（Ｂ）は、模造植物３の形状が異なっている。図３（Ａ），（Ｂ）に、光照射装置１２と、水分散布装置１３を示す。模造植物３には、発光部１２１（図３（Ａ）参照）、水分散布ノズル１３１（図３（Ｂ）参照）が設けられる。模造植物茎部３１が被覆電線、水供給管として機能する。なお、図３（Ａ）では光照射装置１２は、制御装置１２０と、発光部１２１と、発光部１２１に直流電力を供給する電源１２３を含み、図３（Ｂ）では水分散布装置１３は、制御装置１３０と、ノズル１３１と、ノズル１３１に水を供給するポンプ１３３を含んでいる。
なお、第２実施形態の植物育生システム１でも、根付き植物２に養分を供給する養分供給装置１４が設けられるが、説明の便宜上、図２（Ａ），（Ｂ），図３（Ａ），（Ｂ）には図示しない。
【００１２】
図４（Ａ）〜（Ｄ）は模造植物３に発光部１２１が設けられた例を示す図であり、図４（Ａ），（Ｂ）は模造植物３の葉の正面から見た図（（Ｂ）は（Ａ）の部分拡大図）、図４（Ｃ），（Ｄ）は模造植物３の葉の側面から見た図（（Ｄ）は（Ｃ）の部分拡大図）である。
発光部１２１はＬＥＤ１２１１と導光部１２１２とからなり、ＬＥＤ１２１１から出射した光は導光部１２１２を進むが導光部１２１２の裏面に設けられた乱反射面により乱反射して、葉の裏側にて面状に発光する。
【００１３】
図５（Ａ），（Ｂ）は模造植物３にノズル１３１が設けられた例を示す図であり、図５（Ａ）は模造植物３の葉の正面から見た図、図４（Ｂ）は模造植物３の葉の側面から見た図である。
図３（Ａ）に示したように発光部１２１の発光の制御は制御装置１２０により行われ、ノズル１３１の水分散布の制御は制御装置１３０により行われる。
【００１４】
図６は本発明の植物育生システムの第３実施形態を示す説明図である。図６において植物育生システム４は、鉢植えの根付き植物２を被覆する内側に反射膜が形成された袋からなる養生用カバー体４１を備え、発光部、水分散布ノズルを有する天板部４２が養生用カバー体４１の内側上部に形成されている。また、養生用カバー体４１とは別体の制御装置４０には水タンク４３，ポンプ４４が付属している。根付き植物２が、常時室内の自然光が殆ど入らない場所に置かれるような場合、作業者が夜間に養生用カバー体４１を根付き植物２に被せる。
たとえば、夕刻の１１時から朝の７時までの８時間、養生用カバー体４１が根付き植物２に被せられる場合には、前半の４時間は発光部は動作せず、水分散布ノズルからも水の供給はしない。後半の４時間に発光部から光を供給し、水分散布ノズルから水の供給を行う。なお、制御装置４０は、天板部４２、養生用カバー体４１の内部に風を発生させる（内部にファン装置を設けるか、外部から図示しないダクトを介してエアーを吸気・排気する）こともできる。
【００１５】
図７（Ａ），（Ｂ）は、本発明の植物育生システムの第４実施形態を示す説明図である。図７においては、図１に示したような植物セット装置１１（ただし、図７では庇１１１は設けられていない）に養生用カバー体４１を適用した植物育生システムを示している。ここでは養生用カバー体４１は、カーテン式のシャッターであり、養生用カバー体４１には発光部、水分散布ノズルが設けられる。また、ファン装置を設けることもできる。
また、図６と同様の制御が、図示しない制御装置により行われる。
【００１６】
図８（Ａ），（Ｂ）に、養生時（養生用カバー体４１を下ろした時）に発光部を点灯させた様子、図８（Ｃ），（Ｄ）に発光部を消灯している様子を示す。
図９〜図１２に、本発明の第５実施形態を示す。第５実施形態では、根付き植物のうち一部を、所定期間ごとに交代で、外部空間にさらし、残りを外部空間から隔離した養生空間において養生させる。
【００１７】
図９、図１０は、植物がセットされる領域が、複数のセルに分割されている植物セット装置１１を示す図であり、（Ａ）は正面図、（Ｂ）はＧ−Ｇ線の断面図をそれぞれ示している。図９では一部のセルの内部は暗くなっており残りのセルの内部は明るくなっており、図１０では前記一部のセルの内部は明るくなっており残りのセルは暗くなっている。
図９、図１０（Ａ），（Ｂ）の植物セット装置１１には、図示しない開閉機構（制御装置、電源、モータ等からなる）が備えられ、図１１に示すように複数のセルのうち一部のセルが閉じている（周囲雰囲気から隔離されている）ときは残りのセルが周囲雰囲気に開放され、逆に上記一部のセルが周囲雰囲気に開放されているときは、残りのセルが閉じられる。
図９、図１０では図２〜図５に示したような光照射装置や水分散布装置が使用されていが、図１２に示すように、ＬＥＤ等の光源をセルの内部に設けておくこともできる。
【００１８】
図１３（Ａ）〜（Ｄ）は半筒体（円筒を軸方向に２分したときの周面体）を示している。この例では、筒体により半分の植物を隠蔽し、半分の植物を外部にさらしており、半筒体の内部で発光ダイオードによる照射等により植物が養生される（光合成がされるか、暗くされる）。
【００１９】
図１４（Ａ）は複数のセルのうち一部のセルが閉じている（周囲雰囲気から隔離されている）ときは残りのセルが周囲雰囲気に開放され、図１４（Ｂ）は逆に上記一部のセルが周囲雰囲気に開放されているときは残りのセルが閉じられている様子を示している。
なお、図示はしないが、本発明の植物育成システムでは、ヒータ・クーらを備えることができ、冬季等において植物の周囲温度が低下または上昇しないように制御装置により制御するようにもできる。
【００２０】
本発明では、図１５（Ａ）〜（Ｄ）に示すような灌水器を使用することができる。図１５において、（Ａ）は灌水器５を斜め上から見た斜視図、（Ｂ）は灌水器５を斜め下から見た斜視図、（Ｄ）は灌水器５を側面説明図、（Ｆ）は灌水器５を平面説明図である。
【００２１】
灌水器５は、接続管５１と本体５２とからなる。本体５２の内部にはへび溝（連通孔）５２３が形成されている。へび溝５２３は減圧パスであり、入口５２２の圧力によらず、出口５２１から出る滴量を一定とすることができる。具体的には本体５２を上部５２１と下部５２２とから構成し、上部５２１と下部５２２との接合面（上部５２１と下部５２２の一方、または双方）に溝を形成しておく。
【００２２】
上部５２１と下部５２２とを結合することで、本体５２を構成することができる。
へび溝５２３は、接続管５１の内径（内径１ｍｍ〜３ｃｍ程度）、流量（毎分あたりの出口５２１からの滴量）に応じて、蛇行回数（３〜１０回）、溝径（０．２〜１ｍｍ）、全長（数十ｃｍから数十ｍ）等を適宜調整できる。
図１６（Ａ），（Ｂ）に示すように、灌水器５は、複数をチューブＴにより連接することができる。供給タンク５３２内の養液（水，養分水等）は、ポンプ５３１により各灌水器５に供給される。
【００２３】
たとえば、図１６（Ａ）に示すように養液（水，養分水等）の供給側から見て、最後の灌水器５の次段には、排水タンク５４を設けることができる。なお、図１６（Ａ）ではポンプ５３１を用いているが、水道管等の圧力により水分の供給を行うことができるし（この場合には、水以外の養分を供給管に注入する必要がある）、供給タンク５３２を高所に置くことで養液（水，養分水等）の供給を行うことができる。
また、図１６（Ｂ）に示すように最後の灌水器５の接続管は、供給タンク５３２に戻すこともできる。
【図面の簡単な説明】
【００２４】
【図１】本発明の第１実施形態の説明図であり、（Ａ）は正面図、（Ｂ）は側面図である。
【図２】第２実施形態の植物育生システムの正面図であり、（Ａ）は正面図、（Ｂ）は側面図である。
【図３】（Ａ）は光照射装置を示す図、（Ｂ）は水分散布装置を示す図である。
【図４】（Ａ）〜（Ｄ）は光照射装置を示す図である。
【図５】（Ａ），（Ｂ）は水分散布装置を示す図である。
【図６】本発明の植物育生システムの第３実施形態を示す説明図である。
【図７】本発明の植物育生システムの第４実施形態を示す説明図であり、（Ａ）は正面図、（Ｂ）は側面図である。
【図８】第４実施形態の説明図であり、（Ａ），（Ｂ）は養生時（養生用カバー体４１を下ろした時）に発光部を点灯させた様子、（Ｃ），（Ｄ）は発光部を消灯している様子を示す図である。
【図９】植物がセットされる領域が、複数のセルに分割されている植物セット装置を示す第５実施形態の説明図であり、（Ａ）は正面図、（Ｂ）はＧ−Ｇ線の断面図である。
【図１０】植物がセットされる領域が、複数のセルに分割されている植物セット装置を示す図であり、（Ａ）は正面図、（Ｂ）はＧ−Ｇ線の断面図であり、図９とは明るくなっているセルと暗くなっているセルとが反対となっている。。
【図１１】第５実施形態における複数のセルのしくみを示す説明図である。
【図１２】光源をセルの内部に設けておく例を示す図である。
【図１３】（Ａ）〜（Ｄ）は半筒体により半分の植物を隠蔽し、半分の植物を外部にさらしており、半筒体の内部で発光ダイオードによる照射等により植物が養生される例を示す図である。
【図１４】（Ａ）は複数のセルのうち一部のセルが閉じている様子を示す図、（Ｂ）は逆に上記一部のセルが周囲雰囲気に開放されているときは残りのセルが閉じられている様子を示す図である。
【図１５】（Ａ）〜（Ｄ）は灌水器の例を示す図である。
【図１６】（Ａ），（Ｂ）は灌水器の使用例を示す図である。
【符号の説明】
【００２５】
１，４  植物育生システム
２  根付き植物
１１  植物セット装置
１２  光照射装置
１３  水分散布装置
１４  養分供給装置
４１  養生用カバー体
４２  天板部
４０，１２０，１３０  制御装置
４３  水タンク
４４  ポンプ
１２１  発光部
１３１  ノズル
【図１】
2008092821.tif 000003
【図２】
2008092821.tif 000004
【図３】
2008092821.tif 000005
【図５】
2008092821.tif 000006
【図７】
2008092821.tif 000007
【図１５】
2008092821.tif 000008
【図１６】
2008092821.tif 000009
【図４】
2008092821.tif 000010
【図６】
2008092821.tif 000011
【図８】
2008092821.tif 000012
【図９】
2008092821.tif 000013
【図１０】
2008092821.tif 000014
【図１１】
2008092821.tif 000015
【図１２】
2008092821.tif 000016
【図１３】
2008092821.tif 000017
【図１４】
2008092821.tif 000018